(57)【要約】【課題】防犯性を高めながらも着脱操作を簡便に行うこと。【解決手段】各台計数装置の受皿部と通路部とを一体構成としたうえで、各台計数装置の通路部を固定するロック機構の解除に用いる操作レバーを台間装置の上部ユニットを取り外した場合に露出する下部ユニット上に設けるとともに、各台計数装置の受皿部を固定するロック機構の解除に用いる操作レバーを受皿部近傍に設け、各台計数装置を押し込むだけで各台計数装置の通路部および受皿部をロックするように各台計数装置を構成する。【選択図】        図２
2010115259.tif 000002
【特許請求の範囲】
【請求項１】
遊技台に対応して設けられる各台計数装置であって、
前記各台計数装置を固定するロック機構のうち少なくとも１つを外部に露出していない位置に設けた着脱手段
を備えたことを特徴とする各台計数装置。
【請求項２】
前記各台計数装置は、
前記遊技台に対して遊技媒体を貸し出す台間装置と接続されており、
前記着脱手段の前記ロック機構のうち少なくとも１つは、
前記台間装置の内部に対応する位置に設けられることを特徴とする請求項１に記載の各台計数装置。
【請求項３】
前記台間装置は、
台間装置ロック機構によって着脱可能な上部ユニットと着脱不可能な下部ユニットとを含んでおり、
前記着脱手段の前記ロック機構のうち少なくとも１つは、
前記上部ユニットを引き出すことで操作可能となる位置に設けられることを特徴とする請求項２に記載の各台計数装置。
【請求項４】
前記各台計数装置は、
遊技台が排出した遊技媒体を受け取る受皿部と前記受皿部が受け取った遊技媒体を流通させる通路部とを連結することで構成され、
前記着脱手段のロック機構で前記台間装置に対して着脱可能に接続されることを特徴とする請求項２または３に記載の各台計数装置。
【請求項５】
前記各台計数装置は、
前記遊技台に対して遊技媒体を貸し出す台間装置と接続されており、
前記着脱手段の前記ロック機構のうち少なくとも１つは、
前記台間装置を引き出すことで操作可能となる位置に設けられることを特徴とする請求項１に記載の各台計数装置。
【発明の詳細な説明】
【技術分野】
【０００１】
この発明は、遊技台に対応して設けられる各台計数装置に関し、特に、防犯性を高めながらも着脱操作を簡便に行うことができる各台計数装置に関するものである。
【背景技術】
【０００２】
従来から、パチンコ店などの遊技店に設置されるパチンコ機やパチスロ機といった遊技台と並設され、パチンコ玉やメダルといった遊技媒体を貸し出す貸出処理機（以下、「台間装置」と記載する）が知られている。また、遊技台において遊技者が獲得した遊技媒体の数量を各台間装置と接続された各台計数装置が計数する、いわゆる各台計数方式も知られてきた。
【０００３】
かかる各台計数装置は、遊技台が設置される膳板上に配置されており、遊技台の下皿から排出される遊技媒体を受皿部が受け入れ、受皿部から流出した遊技媒体を通路部経由で台間装置の下部に設けられた計数部へと案内する。そして、計数部では送り込まれた遊技媒体を計数する。
【０００４】
しかし、各台計数方式を採用した場合、各台計数装置の通路部などを悪意のある遊技客が取り外し、計数部を誤作動させるゴト行為が懸念される。このため、特許文献１には、各台計数装置の前面に鍵穴を設け、遊技店の従業員が鍵を差し込んでロック解除操作を行わない限り、各台計数装置あるいは各台計数装置を構成する各部品を取り外すことができないようにした技術が開示されている。
【０００５】
【特許文献１】特開平１０−８５４４２号公報
【発明の開示】
【発明が解決しようとする課題】
【０００６】
しかしながら、特許文献１の技術は、ロック機構の鍵穴が遊技客の目にふれる位置に設けられており、内部に設けられたロック機構の位置を悪意のある遊技客に察知されてしまうという問題がある。このため、悪意のある遊技客にとってみれば、ロック機構を不正に操作しやすく、上記したゴト行為を助長してしまうおそれがある。
【０００７】
一方で、各台計数装置が遊技媒体詰まりなどの故障を起こした場合には、遊技店側としては、いち早く各台計数装置を取り外して修理を行う必要がある。また、遊技台の入れ替えや、メンテナンスなど、各台計数装置を着脱する機会もあることから、各台計数装置の着脱を簡便に行いたいというニーズもある。
【０００８】
これらのことから、防犯性を高めながらも着脱操作を簡便に行うことができる各台計数装置をいかにして実現するかが大きな課題となっている。
【０００９】
この発明は、上述した従来技術による問題点を解消するためになされたものであって、防犯性を高めながらも着脱操作を簡便に行うことができる各台計数装置を提供することを目的とする。
【課題を解決するための手段】
【００１０】
上述した課題を解決し、目的を達成するため、本発明は、遊技台に対応して設けられる各台計数装置であって、前記各台計数装置を固定するロック機構のうち少なくとも１つを外部に露出していない位置に設けた着脱手段を備えたことを特徴とする。
【００１１】
また、本発明は、上記の発明において、前記各台計数装置は、前記遊技台に対して遊技媒体を貸し出す台間装置と接続されており、前記着脱手段の前記ロック機構のうち少なくとも１つは、前記台間装置の内部に対応する位置に設けられることを特徴とする。
【００１２】
また、本発明は、上記の発明において、前記台間装置は、台間装置ロック機構によって着脱可能な上部ユニットと着脱不可能な下部ユニットとを含んでおり、前記着脱手段の前記ロック機構のうち少なくとも１つは、前記上部ユニットを引き出すことで操作可能となる位置に設けられることを特徴とする。
【００１３】
また、本発明は、上記の発明において、前記各台計数装置は、遊技台が排出した遊技媒体を受け取る受皿部と前記受皿部が受け取った遊技媒体を流通させる通路部とを連結することで構成され、前記着脱手段のロック機構で前記台間装置に対して着脱可能に接続されることを特徴とする。
【００１４】
また、本発明は、上記の発明において、前記各台計数装置は、前記遊技台に対して遊技媒体を貸し出す台間装置と接続されており、前記着脱手段の前記ロック機構のうち少なくとも１つは、前記台間装置を引き出すことで操作可能となる位置に設けられることを特徴とする。
【発明の効果】
【００１５】
本発明によれば、各台計数装置を固定するロック機構のうち少なくとも１つを外部に露出していない位置に設けた着脱手段を備えることとしたので、少なくとも１つのロック機構を遊技客からは見えない位置に設けることによって防犯性を高めることができるという効果を奏する。
【００１６】
また、本発明によれば、各台計数装置は、遊技台に対して遊技媒体を貸し出す台間装置と接続されており、着脱手段のロック機構のうち少なくとも１つは、台間装置の内部に対応する位置に設けられることとしたので、ロック機構を遊技客からは見えない位置に設けることによって防犯性を高めることができるという効果を奏する。
【００１７】
また、本発明によれば、台間装置は、台間装置ロック機構によって着脱可能な上部ユニットと着脱不可能な下部ユニットとを含んでおり、着脱手段のロック機構のうち少なくとも１つは、上部ユニットを引き出すことで操作可能となる位置に設けられることとしたので、台間装置の上部ユニットを引き出さない限りロック機構を解除することができないので、防犯性を高めることができるという効果を奏する。
【００１８】
また、本発明によれば、各台計数装置は、遊技台が排出した遊技媒体を受け取る受皿部と受皿部が受け取った遊技媒体を流通させる通路部とを連結することで構成され、着脱手段のロック機構で台間装置に対して着脱可能に接続されることとしたので、各台計数装置を連結された部品で構成することで、着脱操作を簡便に行うことができるという効果を奏する。
【００１９】
また、本発明によれば、各台計数装置は、遊技台に対して遊技媒体を貸し出す台間装置と接続されており、着脱手段のロック機構のうち少なくとも１つは、台間装置を引き出すことで操作可能となる位置に設けられることとしたので、台間装置を引き出さない限りロック機構を解除することができないので、防犯性を高めることができるという効果を奏する。
【発明を実施するための最良の形態】
【００２０】
以下に添付図面を参照して、本発明に係る各台計数装置の好適な実施例を詳細に説明する。なお、以下では、いわゆるパチンコ台に対応して設けられ、パチンコ玉を計数する各台計数装置についての実施例を説明することとする。
【実施例】
【００２１】
図１は、本実施例に係る各台計数装置１０の配置を示す図である。なお、同図では、遊技台の記載を省略しているが、遊技台は、同図に示す台間装置１００の右側に隣接する位置であって、各台計数装置１０の後方に隣接する位置に設けられるものとする。
【００２２】
まず、各台計数装置１０が接続される台間装置１００の構成について説明する。台間装置１００は、固定された下部ユニット１１０と、下部ユニット１１０の上方に隣接する取り外し可能な上部ユニット１２０とから構成されている。ここで、下部ユニット１１０は、同図に示す膳板上に固定されており、各台計数装置１０の通路部１２が接続される。
【００２３】
ここで、下部ユニット１１０は、棚板上に固定されていると記載したが、これは、台間装置１１０の着脱機構である図示しない台間装置ロック機構に対して固定されていることをあらわしている。すなわち、下部ユニット１１０を取り外すことも可能である。また、以下においても、下部ユニット１１０が固定あるいは着脱不可能との記載を行っているが、台間装置ロック機構に対して固定／着脱不可能であることをあらわしている。
【００２４】
なお、本実施例では、下部ユニット１１０内に各台計数装置１０の計数部が設けられる場合について示すが、各台計数装置１０の通路部１２に計数部を設けることとしてもよい。
【００２５】
同図に示したように、各台計数装置１０は、受皿部１１と、通路部１２とが一体となるように接合されることで構成されており、膳板上を手前側（遊技客側）にスライドさせることで取り外すことができる。このように、各台計数装置１０は、受皿部１１と通路部１２とを一体化しているので、受皿部１１と、通路部１２とを別々に着脱する必要がなく、着脱操作が行いやすい。
【００２６】
なお、受皿部１１は、上面が開放された受皿で遊技台から落下してきたパチンコ玉を受け止め、受皿に設けられた自然勾配によってパチンコ玉を通路部１２へと送り出す。また、受皿部１１の前方（遊技客側）には、計数結果を表示するディスプレイなどの表示部１１ａと、遊技客が台間装置１００からパチンコ玉の貸し出しを受ける際に操作するボタンなどの操作部１１ｂとが設けられる。
【００２７】
ここで、各台計数装置１０は、複数のロック機構で、台間装置１００に接続されており、かかるロック機構の少なくとも１つを遊技客の目が届かない位置に設けている点に主たる特徴がある。このように、ロック機構を遊技客から視認できない位置に設けることで、悪意のある遊技客がロック機構の位置を察知することを妨げ、計数値を水増しするゴト行為などの不正行為を防止することができる。
【００２８】
図２は、各台計数装置１０の取り外し手順を示す図である。図２の（Ａ）に示すように、各台計数装置１０を取り外す場合には、まず、台間装置１００の上部ユニット１２０を同図の（１）に示した向きに引き出す必要がある。このように、上部ユニット１２０を引き出すことによって、たとえば、下部ユニット１１０の上面に設けられたロック解除レバーを操作することが可能となる（同図の（２）参照）。
【００２９】
なお、台間装置１００の上部ユニット１２０は、取り付け状態では、同図に示す取付枠２００に固定されている。ここで、かかる上部ユニット１２０を引き出すためには、遊技店の従業員が保持するリモコンなどで、取付枠２００とのロックを解除することが必要となる。なお、従業員が台間装置１００の操作ボタン経由で暗証番号を入力することで、上部ユニット１２０と取付枠２００とのロックを解除することも可能である。
【００３０】
このように、各台計数装置１０を取り外す場合には、台間装置１００の上部ユニット１２０を引き出す手順が必要となることから、たとえ悪意のある遊技客であっても、人目につきやすい図２の（Ａ）に示した手順を実行することは困難である。
【００３１】
また、図２の（Ｂ）に示したように、各台計数装置１０は、膳板上に設けられた膳板側ロック機構３００で膳板にも固定されている。たとえば、かかるロック機構３００のロック解除レバーをロック解除位置で保持したまま（同図の（３ａ）参照）、同図に示した方向に各台計数装置１０を引き出すことで（同図の（３ｂ）参照）、各台計数装置１０を取り外すことができる。
【００３２】
このように、少なくとも１つのロック機構を通常時には遊技客から視認できない位置に設けることで、防犯性を高めることができるとともに、他のロック機構については、操作しやすい位置に設けることで、着脱操作を簡便に行うことができる。
【００３３】
図３は、台間装置１００の下部ユニット１１０との接続位置に設けられたロック機構の構造を示す図である。なお、図３には、図１や図２に示した各台計数装置１０を後方（遊技台側）から見た図を示している。
【００３４】
図３の（Ａ）に示すように、各台計数装置１０の通路部１２には、段付きピン３１が設けられている。かかる段付きピン３１は、先端にテーパーを付した円柱状のピンであり、ピンの先端から所定位置にくびれを有している。
【００３５】
一方、下部ユニット１１０には、通路部１２の段付きピン３１に対応する位置に、段付きピン３１を貫通させるためのボス３３が設けられている。なお、段付きピン３１のくびれは、通路部１２を下部ユニット１１０へ押し込んだ場合に、ボス３３を貫通して操作レバー３２の下方に位置となるように調整されている。
【００３６】
ここで、操作レバー３２は、上下動が可能であり、操作レバー３２の下端には、Ｕ字状の切り欠きが設けられている。なお、各台計数装置１０の通路部１２を、下部ユニット１１０に取り付ける場合には、同図の（１）に示した方向に操作レバー３２を引き上げ、同図の（２）に示した方向に通路部１２を押し込むことになる。
【００３７】
この場合、操作レバー３２は引き上げた状態で固定できるものとし、操作レバー３２の引き上げ距離（移動量）は、少なくとも段付きピン３１のくびれから操作レバー３２下端の切り欠きが外れる大きさに調整される。
【００３８】
そして、同図の（Ｂ）に示すように、通路部１２を下部ユニット１１０へ押し込んだならば、同図の（３）に示した方向に操作レバー３２を押し下げる。このようにすることで、操作レバー３２の下端に設けられたＵ字上の切り欠きが、ボス３３を貫通した段付きピン３１のくびれとかみ合う。すなわち、各台計数装置１０は、通路部１２を介して下部ユニット１１０へロックされる。
【００３９】
なお、同図の（３）に示した方向に操作レバー３２を押し下げる操作を行わないと、ロックはかからない。しかし、操作レバー３２が引き上げられた状態（同図の（Ａ）参照）では、台間装置１００の上部ユニット１２０を取り付ける際に、上部ユニット１２０が操作レバー３２に引っ掛かるので、上部ユニット１２０を取り付けることができない。これにより、操作レバー３２のロック操作忘れを防止することができる。
【００４０】
なお、各台計数装置１０を下部ユニット１１０から取り外す場合には、操作レバー３２を同図の（１）に示した方向に引き上げてロックを解除し、各台計数装置１０を遊技客側へ引き出すことになる。
【００４１】
図４は、受皿部１１の下部に設けられたロック機構の構造を示す図である。同図に示すように、各台計数装置１０における受皿部１１の底面には、下端が広がった形状の受皿足１１ｃが設けられている。
【００４２】
一方、遊技台や各台計数装置１０、台間装置１００が置かれる遊技島の膳板には、膳板側ロック機構３００が設けられている（図２参照）。同図に示すように、膳板側ロック機構３００は、解除棒３０１と、ばね３０２と、ロック板３０３とを備えている。
【００４３】
ロック板３０３は、支点まわりに回動可能であり、受皿足１１ｃ下端の広がった形状よりも上の部分で受皿足１１ｃの軸に掛かる位置に設けられ、受皿足１１ｃの軸に掛かる方向へばね３０２で付勢されている。すなわち、各台計数装置１０における受皿部１１は、受皿足１１ｃにロック板３０３が掛かった状態でロックされる。
【００４４】
かかるロックを解除する場合、解除棒３０１を同図の（１）に示す方向に押し込むと、解除棒とリンク機構などで連結されたロック板３０３は、回転軸まわりにばね３０２の付勢に逆らって回転し、受皿足１１ｃから外れた状態となる。したがって、各台計数装置１０を、膳板側ロック機構３００から取り外すことが可能となる。
【００４５】
図３に示したロック機構と、図４に示したロック機構とを用いた場合、各台計数装置１０の取り外し手順は、以下のようになる。まず、台間装置１００の上部ユニット１２０を取付枠２００から引き抜くと、操作レバー３２（図３参照）が露出する。
【００４６】
つづいて、操作レバー３２を引き上げる操作を行って通路部１２に対するロックを解除する。さらに、膳板側ロック機構３００の解除棒３０１を押し込むことで、受皿部１１に対するロックを解除状態としたうえで、各台計数装置１００を手前側（遊技客側）へ引き抜く。
【００４７】
また、各台計数装置１０の取り付け手順は、以下のようになる。まず、各台計数装置１０を、膳板側ロック機構３００に設けられたガイド部材に沿って押し込む。これによって、受皿部１１に対するロックが掛かる。
【００４８】
つづいて、操作レバー３２（図３参照）を押し下げる操作を行って通路部１２に対するロックを掛ける。そして、台間装置１００の上部ユニット１２０を取付枠２００へセットする。
【００４９】
ところで、図４では、膳板に設けられた膳板側ロック機構３００を操作することで、受皿部１１に対するロックを解除する場合について示したが、受皿部１１側にロックを解除する機構を設けることとしてもよい。
【００５０】
図５は、受皿部１１の下部に設けられたロック機構の変形例その１を示す図である。同図に示すように、受皿部１１の側面には、取手１１ｄが設けられており、受皿部１１の内部もしくは下部には、取手１１ｄとリンク機構などで連結された解除棒１１ｅが設けられている。
【００５１】
かかる取手１１ｄを、同図の（１）に示す方向へ動かすと、取手１１ｄとリンク機構などで連結された解除棒１１ｅは、同図の（２）に示す方向へ移動する。そして、解除棒１１ｅは、膳板側ロック機構３００に設けられたロック板３０３を回転軸まわりにばね３０２の付勢に逆らって回転させることで（同図の（３）に示す方向参照）、ロック板３０３が受皿足１１ｃから外れた状態にする。
【００５２】
このように、受皿部１１の側面にロック解除用の取手１１ｄを設けることで、各台計数装置１０の下側に手をまわす動作で、簡単に受皿部１１に対するロックを解除することができる。また、ロックする場合には、膳板側ロック機構３００に設けられたガイド部材に沿って押し込むだけの操作しか要しない。したがって、各台計数装置の着脱を簡便に行うことができる。
【００５３】
ところで、これまでは、通路部１２に対するロックのロック解除操作と、受皿部１１に対するロック解除操作とを別々に行う場合について説明してきたが、通路部１２に対するロックのロック解除操作に連動して受皿部１１に対するロック解除を行うこととすれば、防犯性を確保したうえで、着脱操作をさらに簡便に行うことができる。
【００５４】
図６は、受皿部１１の下部に設けられたロック機構の変形例その２を示す図である。なお、同図には、受皿部１１に対するロック機構として図５に示した機構を採用した場合について示している。
【００５５】
同図に示すように、操作レバー３２（図３参照）を引き上げる操作を行うと（同図の（１）に示す方向参照）、操作レバー３２と連結部材６１で連結された解除棒１１ｅは、同図の（２）に示す方向へ移動する。
【００５６】
そして、解除棒１１ｅは、膳板側ロック機構３００に設けられたロック板３０３を回転軸まわりにばね３０２の付勢に逆らって回転させることで（同図の（３）に示す方向参照）、ロック板３０３が受皿足１１ｃから外れた状態となる。
【００５７】
このように、通路部１２に対するロック解除操作を行うと、受皿部１１に対するロック解除が同時に行われる。一方、受皿部１１に対するロック解除操作を行っても、通路部１２に対するロック解除は行われない。したがって、防犯性を確保しつつロック解除操作の操作性を向上させることができる。
【００５８】
ところで、図３では、台間装置１００の下部ユニット１１０との接続位置に設けられたロック機構を示したが、かかるロック機構を図３に示したものとは異なる構成とすることとしてもよい。
【００５９】
図７は、台間装置１００の下部ユニット１１０ａとの接続位置に設けられたロック機構の変形例を示す図である。なお、図７には、図１や図２に示した各台計数装置１０を前方（遊技客側）から見た図を示している。また、同図の（Ａ）には、ロック機構がロックされた状態を、同図の（Ｂ）には、ロック機構がロック解除された状態を、それぞれ示している。
【００６０】
図７の（Ａ）に示すように、下部ユニット１１０ａ側には、ロック軸７１と、操作レバー７２とが設けられている。一方、各台計数装置１０の通路部１２ａ側には、ねじりばね付き軸７４に対して回動可能にロックレバー７３が取り付けられている。
【００６１】
ここで、ロックレバー７３は、鉤形状の形状を有しており、ねじりばね付き軸７４のねじりばねによって下部ユニット１１０ａ側のロック軸７１に掛かる状態へ付勢されている。このように、各台計数装置１０の通路部１２ａは、ロックレバー７３がロック軸７１に引っ掛かった状態で下部ユニット１１０ａへロックされる。
【００６２】
また、操作レバー７２は、上下動可能なレバーであり、操作レバー７２の先端部分には、操作レバー７２を上方へ動かすと、ロックレバー７３をロック軸７１から引き離す方向へ回動させる傾斜を有した突起が設けられている。
【００６３】
図７の（Ｂ）に示すように、ロック解除を行う場合には、操作レバー７２を同図の（１）に示す向きに引き上げる。ロックレバー７３は、操作レバー７２の先端部分に設けられた突起の傾斜に沿い、ねじりばね付き軸７４を支点として同図の（２）に示す向きに回動する。このようにして、各台計数装置１０の通路部１２ａ／下部ユニット１１０ａ間のロックが解除される。
【００６４】
なお、各台計数装置１０を下部ユニット１１０ａへロックする場合には、各台計数装置１０を下部ユニット１１０ａへ押し込むだけで、ロックレバー７３がロック軸７１に掛かった状態となる。したがって、ロック操作の操作性を向上させることができる。
【００６５】
上述してきたように、本実施例では、各台計数装置の受皿部と通路部とを一体構成としたうえで、各台計数装置の通路部を固定するロック機構の解除に用いる操作レバーを台間装置の上部ユニットを取り外した場合に露出する下部ユニット上に設けるとともに、各台計数装置の受皿部を固定するロック機構の解除に用いる操作レバーを受皿部近傍に設け、各台計数装置を押し込むだけで各台計数装置の通路部および受皿部をロックするように各台計数装置を構成したので、防犯性を高めながらも着脱操作を簡便に行うことができる。
【００６６】
なお、上述した実施例では、上部ユニットを取り外した場合に露出する下部ユニット上に操作レバー（図３の３２あるいは図７の７２参照）を設け、かかる操作レバーを従業員が手動操作することで台間装置ロック機構のロックを解除する場合について示したが、台間装置の上部ユニットを途中まで引き出すと、操作レバー（図３の３２あるいは図７の７２参照）が自動解除するようにしてもよい。
【００６７】
たとえば、操作レバーをバネ等の付勢手段によって、常時上方向（解除方向）に付勢することとすればよい。このようにすることで、上部ユニットを引き出すことで、操作レバーが解除方向に移動し、ロックが自動解除される。また、このような自動解除ではなく、台間装置の上部ユニットを引き出した後、従業員のリモコン操作によって台間装置ロック機構のロックを解除することとしてもよい。
【００６８】
また、台間装置ロック機構を台間装置のできるだけ後方に配置することとしてもよい。このようにすることで、上部ユニットを取り外すことなく、前方へ引き出した状態で保持したまま、ロック解除を行うことが可能となる。この場合、上部ユニットが引き出された状態で保持されているので、隣の遊技台で遊技している遊技客からは台間装置を操作している状態が見えなくなるため、防犯性を向上させることができる。
【００６９】
また、上述した実施例では、台間装置が上下に分離する例について示したが、上下に分離しない構造とすることとしてもよい。この場合、台間装置ロック機構は、台間装置の下部方向に配置することになる。
【産業上の利用可能性】
【００７０】
以上のように、本発明に係る各台計数装置は、各台計数装置に対する防犯性を高めたい場合に有用であり、特に、防犯性を確保しつつ着脱操作を簡便に行いたい場合に適している。
【図面の簡単な説明】
【００７１】
【図１】本実施例に係る各台計数装置の配置を示す図である。
【図２】各台計数装置の取り外し手順を示す図である。
【図３】台間装置の下部ユニットとの接続位置に設けられたロック機構の構造を示す図である。
【図４】受皿部の下部に設けられたロック機構の構造を示す図である。
【図５】受皿部の下部に設けられたロック機構の変形例その１を示す図である。
【図６】受皿部の下部に設けられたロック機構の変形例その２を示す図である。
【図７】台間装置の下部ユニットとの接続位置に設けられたロック機構の変形例を示す図である。
【符号の説明】
【００７２】
１０    各台計数装置
１１    受皿部
１１ａ  表示部
１１ｂ  操作部
１１ｃ  受皿足
１１ｄ  取手
１１ｅ  解除棒
１２    通路部
３１    段付きピン
３２    操作レバー
６１    連結部材
７１    ロック軸
７２    操作レバー
７３    ロックレバー
７４    ねじりばね付き軸
１００    台間装置
１１０、１１０ａ  下部ユニット
１２０    上部ユニット
２００    取付枠
３００    膳板側ロック機構
３０１    解除棒
３０２    ばね
３０３    ロック板
【図１】
2010115259.tif 000003
【図２】
2010115259.tif 000004
【図３】
2010115259.tif 000005
【図４】
2010115259.tif 000006
【図５】
2010115259.tif 000007
【図６】
2010115259.tif 000008
【図７】
2010115259.tif 000009